(57)【特許請求の範囲】
【請求項１】
什器上方となる位置に延設されるとともに、上面に照明灯を取付け可能な主板部、および該主板部の両側縁からそれぞれ上下に突出する一対の側板部を有する照明取付部材と、
該照明取付部材に接続され、前記主板部の上方に対向配置される反射面を有する反射機構と、
を備え、
前記反射機構は、
前記照明取付部材の一対の前記側板部の互いに対向する内面にそれぞれ当接する当接部と、
各当接部が当接する前記側板部の前記内面に向かって各当接部を付勢する付勢部と、
を有し、
前記照明取付部材は、各当接部を係止する係止部を有することを特徴とする照明装置。
【請求項２】
前記照明取付部材の一対の前記側板部および前記係止部は、前記照明取付部材が延設される延設方向にそれぞれ延びて形成されていることを特徴とする請求項１に記載の照明装置。
【請求項３】
前記反射機構は、
一対の前記側板部の前記内面にそれぞれ当接した各当接部が互いに接近するのを防止する移動防止部材を有することを特徴とする請求項１または２に記載の照明装置。
【発明の詳細な説明】
【技術分野】
【０００１】
本発明は、オフィス等の執務空間にて使用される什器用の照明装置に関する。
【背景技術】
【０００２】
従来、オフィスなどの執務空間において、照明装置により天井を照らし、天井からの反射光により執務空間全体を照明することが行われている。執務空間の大きさにより天井が高く照明装置による照明光が天井まで届きにくい場合などには、たとえば、特許文献１に示すテーブルのように、天板に取付けられ照明器具が設けられた照明支持手段の上方にリフレクタ（反射機構）を接続したものが用いられる。
【０００３】
上記の照明支持手段は、平面視で正方形をなすように形成された天板の対向する縁部の中央にそれぞれ設けられた支柱（照明取付部材）と、この支柱の上端部間に架け渡された横架材とからなる門型のものである。支柱の下端にはブラケットが溶接されていて、このブラケットで天板を上下から挟み込むとともにねじ止めすることで、支柱は天板に取付けられている。横架材は、嵌め込みによる嵌合とねじによる締着により、支柱の上端部に結合されている。照明器具は、蛍光管と傘とを有していて、傘内に配置された蛍光管が上方を照明するように傘を横架材の上面にねじ止めしている。リフレクタは、照明器具の上方に配置され、リフレクタ取付部材により支柱にねじ止めされている。
このように構成されたテーブルでは、蛍光管から発せられた光は、蛍光管の上方に位置するリフレクタで反射され、その反射光により天板の全面が間接的に照明される。
【０００４】
また、特許文献２には、サイド壁の上部に照明装置を取付けるとともに、サイド壁の上端に庇状部材をねじ止めなどにより取付けた半開放個室装置が開示されている。照明装置は、水平状に延びる蛍光灯と、蛍光灯を下方から覆うシェードとを備えている。庇状部材は照明装置の上方に配置され、庇状部材の下面は、側断面が円弧状の凹状面となっている。
蛍光灯の光は、シェードにより案内されて庇状部材側に向かい、さらに庇状部材の下面で反射される。これにより、個室の内部を満偏なく間接的に照明することができるという。
【先行技術文献】
【特許文献】
【０００５】
【特許文献１】特許第３５０６０６０号公報
【特許文献２】特許第３９４００２５号公報
【発明の概要】
【発明が解決しようとする課題】
【０００６】
しかしながら、前記従来の照明装置では、リフレクタがねじ止めにより支柱などに固定されている。このため、リフレクタを確実に固定できるものの、ねじの取付けおよび取り外しにはドライバなどの工具が必要であり、着脱に多大な時間と労力とを要するという問題がある。
【０００７】
本発明は、このような問題点に鑑みてなされたものであって、工具などを用いることなく容易に照明取付部材に反射機構をガタツキを抑えて着脱することができ、什器を間接照明する照明装置を提供することを目的とする。
【課題を解決するための手段】
【０００８】
上記課題を解決するために、この発明は以下の手段を提案している。
本発明の照明装置は、什器上方となる位置に延設されるとともに、上面に照明灯を取付け可能な主板部、および該主板部の両側縁からそれぞれ上下に突出する一対の側板部を有する照明取付部材と、該照明取付部材に接続され、前記主板部の上方に対向配置される反射面を有する反射機構と、を備え、前記反射機構は、前記照明取付部材の一対の前記側板部の互いに対向する内面にそれぞれ当接する当接部と、各当接部が当接する前記側板部の前記内面に向かって各当接部を付勢する付勢部と、を有し、前記照明取付部材は、各当接部を係止する係止部を有することを特徴としている。
【０００９】
この発明によれば、反射機構は、係止部により各当接部を係止されることで支持されている。さらに、一対の側板部の互いに対向する内面にそれぞれ当接する各当接部を付勢部により側板部の内面に向かって付勢することで、側板部と当接部との間に生じるガタツキを抑えて、照明取付部材に反射機構を取付けることができる。このとき、反射面は照明取付部材の主板部の上方に対向配置されるので、主板部の上面に取付けられた照明灯から発せられた照明光は、主板部および一対の側板部で反射されて上方に導かれ、さらに反射面により下方に反射されて什器を間接的に照明することができる。
一方で、付勢部による付勢力に抗して各当接部を互いに近づけ当接部を側板部から離間させることで、照明取付部材から反射機構を取外すことができる。
このように、各当接部間の距離を調節することで、工具などを用いることなく容易に照明取付部材に反射機構を着脱することができる。
【００１０】
また、上記の照明装置において、前記照明取付部材の一対の前記側板部および前記係止部は、前記照明取付部材が延設される延設方向にそれぞれ延びて形成されていることがより好ましい。
この発明によれば、側板部および係止部に対して当接部を延設方向に移動することができる。このため、照明取付部材に対して反射機構をスライドさせ、延設方向の位置を調節することができる。
【００１１】
また、上記の照明装置において、前記反射機構は、一対の前記側板部の前記内面にそれぞれ当接した各当接部が互いに接近するのを防止する移動防止部材を有することがより好ましい。
この発明によれば、照明取付部材から反射機構が外れるのを防止することができる。
【発明の効果】
【００１２】
本発明の照明装置によれば、工具などを用いることなく容易に照明取付部材に反射機構をガタツキを抑えて着脱することができる。
【図面の簡単な説明】
【００１３】
【図１】本発明の第１実施形態の照明装置を支柱に取り付けた状態の斜視図である。
【図２】図１中の要部の一部を破断させた図である。
【図３】図２中の切断線Ａ１−Ａ１の断面図である。
【図４】図２中の切断線Ａ２−Ａ２の断面図である。
【図５】図４中の切断線Ａ３−Ａ３の断面図である。
【図６】同照明装置に取付け可能な照明灯の斜視図である。
【図７】同照明装置に照明灯を取り付けた状態を示す要部断面図である。
【図８】同照明装置の変形サポート板および連結板の分解斜視図である。
【図９】同照明装置の反射機構の一部の分解斜視図である。
【図１０】本発明の第２実施形態における照明装置の反射機構の一部を破断した斜視図である。
【図１１】同反射機構の一部を分解した正面図である。
【図１２】同反射機構の要部における一部を破断した平面図である。
【図１３】本発明の第３実施形態における照明装置の反射機構の斜視図である。
【図１４】同反射機構の一部を分解した正面図である。
【発明を実施するための形態】
【００１４】
（第１実施形態）
以下、本発明に係る照明装置の第１実施形態を、図１から図９を参照しながら説明する。
図１から図３に示すように、照明装置１は、テーブル（什器）２００の上方となる位置に延設されるとともに、上面に照明灯３を取付可能な主板部４、および該主板部４の両側縁からそれぞれ上下に突出する一対の側板部５を有する照明取付部材６と、該照明取付部材６に接続され、主板部４の上方に対向配置される反射面７を有する反射機構９とを備えている。
なお、本実施形態では、テーブル２００および照明装置１は図示しない建造物の室内に設置されているものとする。
【００１５】
図１に示すように、テーブル２００は、平面視矩形状の天板２００ａを備えている。
図１および図４に示すように、テーブル２００は、天板２００ａから上方に向けて延在し、上端面が主板部４の下面に当接して固定されるとともに上端部が一対の側板部５間に嵌合された照明支柱２０１を備えている。
図５に示すように、照明支柱２０１には、上下方向Ｚに延びる配線空間２０２が形成されている。
照明支柱２０１は、上下方向Ｚに延びるとともに配線空間２０２となる配線溝２０３が形成された支柱本体２０４と、支柱本体２０４の配線溝２０３に着脱可能に装着され、配線空間２０２を覆う配線カバー２０５とを備えている。
支柱本体２０４は、上下方向Ｚに断面視して天板２００ａの奥行方向Ｙに長い楕円形状をなしており、配線溝２０３は、テーブル２００の横幅方向Ｘを向く側面に上下方向Ｚの全長にわたって形成されている。また配線カバー２０５は、断面視コ字状に形成されて配線溝２０３内に嵌合され、配線空間２０２を覆っている。
【００１６】
図４および図５に示すように、支柱本体２０４の上端部には、上下方向Ｚに延びるねじ孔２０７が形成されている。本実施形態では、ねじ孔２０７は、楕円形状断面の長径方向の両側端側に対をなして設けられている。
また、一対の側板部５間において主板部４よりも下側に位置する下側空間１７内の配線カバー２０５には、この下側空間１７と配線空間２０２とを連通する配線窓２０５ａが形成されている。
【００１７】
本実施形態では、照明取付部材６が延設される延設方向は、テーブル２００の横幅方向Ｘにほぼ平行に設定されている。
図４に示すように、照明取付部材６の主板部４は、テーブル２００上方に延設されるとともに上面に照明灯３を取付け可能な板本体２０と、該板本体２０における照明支柱２０１との固定部分２０ａの上面に配設されて板本体２０および照明支柱２０１に固定された補強板２１とを備えている。
板本体２０は、横幅方向Ｘに延在するとともに天板２００ａと平行に配置されており、横幅方向Ｘの中央部が照明支柱２０１に固定された前記固定部分２０ａとなっている。この板本体２０には、上下に連通する連通路２２（図７参照）が形成されている。
【００１８】
板本体２０の前記固定部分２０ａの下面には、下方に向けて突出するとともに下端面が照明支柱２０１の上端面に当接するリブ２０ｂが形成されている。本実施形態では、リブ２０ｂは、奥行方向Ｙに間隔をあけて２つ形成されている。
さらに前記固定部分２０ａの下面には、照明支柱２０１の上端部の側面に当接する上補助片２３が下方に向けて延設されている。上補助片２３は、照明支柱２０１の上端部の側面に両側板部５側、つまり奥行方向Ｙの外側から当接するように一対設けられている。
また、板本体２０の側端部２０ｃの上面には、後述する補強板２１の基片２５の外側縁に近接するガイド突条２４が突設されている。このガイド突条２４は、横幅方向Ｘに沿って板本体２０の側端部２０ｃの全長にわたって延びている。
【００１９】
補強板２１は、板本体２０の前記固定部分２０ａおよび側端部２０ｃ上に配置された基片２５と、基片２５の外側縁に立設された起立片２７とを備えており、一枚の板部材で一体形成されている。
基片２５には、図示しない第１貫通孔が横幅方向Ｘに間隔をあけて形成され、板本体２０の側端部２０ｃには、上下両方向に開口する図示しない第１雌ねじが横幅方向Ｘに間隔をあけて形成されている。そして、補強板２１は、前記第１貫通孔に上側から差し込まれるとともに前記第１雌ねじに螺着された図示しない第１ねじによって、板本体２０の上面に固定されている。
【００２０】
さらに図４に示すように、補強板２１の基片２５および板本体２０の前記固定部分２０ａにはそれぞれ、奥行方向Ｙに間隔をあけて２つの第２貫通孔３０、３１が形成されている。そして、これらの第２貫通孔３０、３１には、主板部４を照明支柱２０１の上端面に固定する第２ねじ２９が上側から差し込まれている。第２ねじ２９の軸部２９ｂは、照明支柱２０１のねじ孔２０７に螺着され、これにより、主板部４は、第２ねじ２９の頭部２９ａと照明支柱２０１の上端面との間で挟持され、照明支柱２０１の上端面に固定されている。
【００２１】
一対の側板部５は、それぞれの下端が照明支柱２０１の上端部の側面に当接することで照明支柱２０１に外嵌するとともに、それぞれの下端から主板部４との連結部分５ａに向かうに従い互いに離間している。一対の側板部５は、横幅方向Ｘにそれぞれ延設されている。
本実施形態では、一対の側板部５は、前記連結部分５ａから上下両端に向かうに従い互いに近接するように湾曲形成されており、それぞれの曲率中心が共通とされた円弧形状をなしている。
【００２２】
側板部５の下端には、照明支柱２０１の上端部の側面に当接する下補助片３２が上方に向けて延設されている。下補助片３２は、各側板部５にそれぞれの全長にわたって設けられている。
側板部５において前記連結部分５ａよりも上側に位置する部分の内面には、先端部が補強板２１の起立片２７の上端に近接するガイド片３３が突設されている。ガイド片３３は、板本体２０と平行に延びるとともに先端部が下方に向かうように屈曲されている。
一対の側板部５の内面であってガイド片３３の上方には、円弧状に湾曲形成された係止部３４がそれぞれ設けられている。一対の係止部３４は、自身の上部に開口３４ａを形成するとともに、横幅方向Ｘにそれぞれ延設されている。
【００２３】
図６に示すように、照明灯３は、横幅方向Ｘに延在する棒状とされている。照明灯３は、奥行方向Ｙに２つ並べられ、コ字ブラケット３７により両側から挟むようにして固定されている。
図６および図７に示すように、コ字ブラケット３７は、上面に両照明灯３が配置された主面部３８と、主面部３８の両側端縁から上方に向けて延在して両照明灯３を奥行方向Ｙに挟み込み、各照明灯３の外側面にそれぞれ固定された一対の側面部３９とを備えている。
【００２４】
図７に示すように、板本体２０の側端部２０ｃには、横幅方向Ｘに間隔をあけて複数の第３貫通孔４２が形成されている。
以上のように構成された照明取付部材６は、たとえば、アルミニウムを用いた押出し成形により一体形成されている。
【００２５】
板本体２０の下面側には、横幅方向Ｘに延在するＬ字ブラケット４３が、奥行方向Ｙに２つ並べて配設されている。Ｌ字ブラケット４３における板本体２０の下面に当接する面には、上下方向Ｚに開口する挿通孔４３ａが形成されている。
そして、コ字ブラケット３７の主面部３８に形成された挿通孔３８ａ、板本体２０の第３貫通孔４２、および板本体２０の下面側に取り付けられたＬ字ブラケット４３の挿通孔４３ａに第３ねじ４４の軸部が挿通され、この軸部がＬ字ブラケット４３の下面側に配設されたナット４５に螺着されている。これにより、コ字ブラケット３７の主面部３８、板本体２０の側端部２０ｃおよびＬ字ブラケット４３が、第３ねじ４４の頭部とナット４５との間に上下方向Ｚに挟持され、主板部４の上面に照明灯３が取り付けられることとなる。
【００２６】
なお、コ字ブラケット３７、Ｌ字ブラケット４３、コ字ブラケット３７に取り付けられる照明灯３は、横幅方向Ｘにおいて、主板部４の補強板２１（図４参照）が存在する位置、つまり、照明支柱２０１が存在する部分及びその近傍を避けた位置に配置されている。
【００２７】
本実施形態では、照明装置１は、照明取付部材６に着脱可能に装着され前記下側空間１７を覆うカバー体４７を備えている。カバー体４７は、両側板部５の下端間の開口を閉塞する略板状の閉塞板部４８と、閉塞板部４８の両側端縁から立設されるとともに下補助片３２間に嵌合された一対の嵌合片部４９とを備えている。
閉塞板部４８は、両嵌合片部４９間で湾曲形成されており、照明取付部材６に装着された状態での曲率中心が、側板部５の曲率中心と共通となっている。そして閉塞板部４８の外面は、該閉側板部４８が照明取付部材６に装着された状態で、一対の側板部５の下端に滑らかに接続されている。
照明灯３は、連通路２２、照明支柱２０１の配線空間２０２などに挿通された図示しない配線により給電装置に接続されている。
【００２８】
反射機構９は、図２および図３に示すように、リフレクタ８と、ほぼ上下方向Ｚに延びるリフレクタ支持体５２、５３と、両端がリフレクタ支持体５２、５３の中間部にそれぞれ接続された連結部材５４と、リフレクタ支持体５２、５３の上端部をリフレクタ８に接続する接続部５５とを有している。
本実施形態では、反射機構９は、リフレクタ支持体５２、５３、連結部材５４および接続部５５を組にしたもの２つ有していて、これら２つの組で照明取付部材６に対して１つのリフレクタ８を支持している。
【００２９】
リフレクタ８は、図２に示すように、シート状に形成されたリフレクタ本体６３と、リフレクタ本体６３の上面に接着剤などで接続された２つの変形サポート板６５とで構成されている。
リフレクタ本体６３は、横幅方向Ｘに延在する板状に形成されるとともに、奥行方向Ｙの中央部が下方に突出するように湾曲形成されている。リフレクタ本体６３は、下面が前記反射面７となっている。
リフレクタ本体６３の奥行方向Ｙの中央部には、上下方向Ｚに貫通する挿通孔６３ａが奥行方向Ｙに間隔をあけて一対形成されている。リフレクタ本体６３には、一対の挿通孔６３ａが横幅方向Ｘに所定距離離間して２組、すなわち、全部で４つの挿通孔６３ａが形成されている。
【００３０】
変形サポート板６５は、図３および図８に示すように、リフレクタ本体６３の上面の形状に沿うように奥行方向Ｙの中央部が下方に突出する形状に湾曲形成された金具本体６７と、金具本体６７の奥行方向Ｙの両端縁から上方に立設する一対の立設部６８と、一対の立設部６８の上縁のそれぞれから対向する位置にある立設部６８の上縁に向かって延びる一対の折返し部６９とを備えている。金具本体６７には、リフレクタ本体６３の挿通孔６３ａに連通する挿通孔６７ａがそれぞれ形成されている。一対の折返し部６９には、長軸が奥行方向Ｙに設定された長孔６９ａがそれぞれ形成されている。
変形サポート板６５の金具本体６７、一対の立設部６８および一対の折返し部６９は、板状の部材を折り曲げることにより一体形成されている。
本実施形態では、リフレクタ本体６３および変形サポート板６５は、たとえば、アルミニウムの板材により形成されている。
【００３１】
図３および図９に示すように、リフレクタ支持体５２は、上下方向Ｚに延びる上部支持杆５６と、上部支持杆５６の下端から下方に向かうにしたがってリフレクタ支持体５３から離間する方向に延びる下部支持杆５７と、下部支持杆５７の下端から横幅方向Ｘの一方に延びる当接部５８とを備えている。リフレクタ支持体５２の上部支持杆５６、下部支持杆５７および当接部５８は、中実または中空の棒状部材を折り曲げることにより一体形成されている。
上部支持杆５６の上端部には、雄ねじ５６ａが形成されている。上部支持杆５６における連結部材５４に接続された部分より下方のリフレクタ支持体５３側の側面には、溝部５６ｂが形成されている。
【００３２】
リフレクタ支持体５３は、リフレクタ支持体５２とリフレクタ支持体５３との間に規定される対称面に対してリフレクタ支持体５２と対称となる形状に形成されている。
すなわち、リフレクタ支持体５３は、上下方向Ｚに延びる上部支持杆５９と、上部支持杆５９の下端から下方に向かうにしたがってリフレクタ支持体５２から離間する方向に延びる下部支持杆６０と、下部支持杆６０の下端から当接部５８と同じ方向に延びる当接部６１とを備えている。
上部支持杆５９の上端部には、雄ねじ５９ａが形成されている。上部支持杆５９における連結部材５４に接続された部分より下方のリフレクタ支持体５２側の側面には、溝部５９ｂが形成されている。上部支持杆５６の溝部５６ｂおよび上部支持杆５９の溝部５９ｂは、互いに対向する位置に形成されている。
連結部材５４は、奥行方向Ｙに延設されている。
リフレクタ支持体５２、５３および連結部材５４は、鉄などの弾性を有する材料で形成されていて、リフレクタ支持体５２と連結部材５４、およびリフレクタ支持体５３と連結部材５４は、溶接などにより接続されている。
【００３３】
図７に示すように、反射機構９の当接部５８、６１は、照明取付部材６の一対の側板部５の互いに対向する内面５ｂにそれぞれ当接するとともに、照明取付部材６の一対の係止部３４によって上方に向かって係止されている（当接部５８、６１の側板部５の内面５ｂに当接するとともに係止部３４に係止される位置を、以下では「係止位置」と称する。）。言い換えれば、当接部５８、６１は、係止部３４に接することで下方への相対移動が規制されている。
このとき、当接部５８と当接部６１と間の距離Ｌ１は、図９に示す外力が作用しない自然状態での当接部５８と当接部６１と間の距離Ｌ２よりも短く設定されている。言いかえれば、外力が作用しない自然状態での当接部５８と当接部６１との奥行方向Ｙの外側の面の離間寸法に対して、一対の側板部５の内面５ｂの奥行方向Ｙの離間寸法が狭く設定されている。このため、図７の状態に示す当接部５８、６１が係止位置に配置された状態においては、上部支持杆５６における連結部材５４に接続された部分より下方の部分である上部支持杆下方部５６ｃ（図９参照）、下部支持杆５７、上部支持杆５９における連結部材５４に接続された部分より下方の部分である上部支持杆下方部５９ｃ（図９参照）、および下部支持杆６０は、リフレクタ支持体５２とリフレクタ支持体５３との間に規定される前述の対称面に近づくように弾性的に湾曲変形している。そして、上部支持杆下方部５６ｃ、５９ｃ、および下部支持杆５７、６０は、一対の当接部５８、６１を側板部５の内面５ｂに向かってそれぞれ付勢している。
図９に示すように、本実施形態では、上部支持杆下方部５６ｃ、５９ｃ、および下部支持杆５７、６０が付勢部７５を構成する。
【００３４】
接続部５５は、図２および図３に示すように、板状に形成され両端部が変形サポート板６５にそれぞれ接続された連結板６６と、変形サポート板６５および連結板６６を互いに接続する第４ねじ７０と、リフレクタ支持体５２、５３および連結板６６を互いに接続する第１ナット７３、第２ナット７４と、を有している。
【００３５】
図３および図８に示すように、連結板６６は、両端部に一対のねじ孔６６ａが形成されているとともに、変形サポート板６５の挿通孔６７ａの上方となる位置に一対の挿通孔６６ｂが形成されている。本実施形態では、連結板６６は、リフレクタ本体６３と同一の材料で形成されている。
図３に示すように、連結板６６は、変形サポート板６５の一対の折返し部６９の下面に、自身の上面が当接するように配置されている。そして、第４ねじ７０を変形サポート板６５の上方から長孔６９ａに差し込み、連結板６６のねじ孔６６ａに螺着することで、一対の折返し部６９が第４ねじ７０の頭部と連結板６６との間で狭持され、変形サポート板６５に連結板６６が固定される。このとき、長孔６９ａ内での第４ねじ７０の奥行方向Ｙの位置を調節することで、一対の折返し部６９間の距離が調節され、リフレクタ８の湾曲の曲率半径を変化させることができる。
【００３６】
図３に示すように、リフレクタ支持体５２の上部支持杆５６およびリフレクタ支持体５３の上部支持杆５９は、リフレクタ本体６３の挿通孔６３ａ、変形サポート板６５の挿通孔６７ａ、および連結板６６の挿通孔６６ｂにそれぞれ挿通されている。連結板６６における挿通孔６６ｂの上方および下方には、第１ナット７３および第２ナット７４が配置されている。第１ナット７３および第２ナット７４は、上部支持杆５６の雄ねじ５６ａおよび上部支持杆５９の雄ねじ５９ａにそれぞれ螺着されている。
そして、第２ナット７４を上部支持杆５６、５９上の上下方向Ｚの所定の位置に配置した状態で、第２ナット７４に対して第１ナット７３を締め付けることで連結板６６が第１ナット７３と第２ナット７４との間で狭持され、連結板６６にリフレクタ支持体５２、５３が取付けられる。
なお、リフレクタ本体６３の挿通孔６３ａと上部支持杆５６、５９との間のガタを防止するために、上部支持杆５６、５９と挿通孔６３ａとの間にシリコン製のリング部材７７が取付けられている。
【００３７】
以上説明したリフレクタ支持体５２、５３、連結部材５４および接続部５５により、リフレクタ８の反射面７は照明取付部材６の上方に配置される。
【００３８】
さらに、図３および図９に示すように、反射機構９は、一対の側板部５の内面５ｂにそれぞれ当接した一対の当接部５８、６１が互いに接近するのを防止するストッパー（移動防止部材）６２を有している。
ストッパー６２は、たとえば、樹脂などで板状に形成されている。図９に示すように、ストッパー６２の両端部には、リフレクタ支持体５２、５３の溝部５６ｂ、５９ｂにそれぞれ係合する凹部６２ａ、６２ｂが形成されている。凹部６２ａが溝部５６ｂに、凹部６２ｂが溝部５９ｂにそれぞれ係合することで、ストッパー６２がリフレクタ支持体５２、５３に取付けられる。
【００３９】
以上のように構成された照明装置１は、周囲の環境や使用者の目的に合わせて、図１に示すように、照明灯３を取付けた照明取付部材６に反射機構９を固定した状態で、または、照明取付部材６に照明灯３は取付けるが反射機構９を固定することなく、照明支柱２０１にそれぞれ固定されている。
照明取付部材６は、照明取付部材６の横幅方向Ｘの端部が互いに隣接するように、横幅方向Ｘに沿ってテーブル２００上に複数連設されている。照明取付部材６の横幅方向Ｘの端部のうち、横幅方向Ｘで互いに隣接する端部の間には、これらの端部間の隙間を埋めるとともに両端部を連結する平板状の連結キャップ８０が配設されている。また、横幅方向Ｘの両端に位置する端部には、横幅方向Ｘに向く開口を閉塞する平板状のエンドキャップ８１が取り付けられている。
【００４０】
次に、照明装置１の作用について説明する。
主板部４の上面に取付けられた照明灯３に給電装置から電力を供給すると、照明灯３は照明光を照射する。照明光は、照明取付部材６および一対の側板部５により反射され、上方に向かう。
照明取付部材６の上方にリフレクタ８の反射面７が配置されているときには、反射面７は奥行方向Ｙの中央部が下方に突出するように湾曲形成されているため、反射面７で反射された照明光は、照明支柱２０１に対して奥行方向Ｙの両側に照射範囲を広げるように反射され、テーブル２００の天板２００ａ上を間接照明する。
照明取付部材６の上方に反射面７が配置されていないときには、照明灯３から上方に向かった照明光は建造物の天井で反射され、テーブル２００およびその周辺を間接照明する。
【００４１】
リフレクタ８を横幅方向Ｘに移動させるときには、たとえば、使用者が反射機構９の下部支持杆５７、６０を奥行方向Ｙの外側から押し縮め、上部支持杆下方部５６ｃ、５９ｃ、および下部支持杆５７、６０で構成される付勢部７５を変形させることで、一対の当接部５８、６１を互いに近づける。当接部５８、６１を側板部５の内面５ｂからわずかに離間させた状態で、２つの反射機構９を横幅方向Ｘに移動させる。そして、照明取付部材６の横幅方向Ｘの所望の位置で反射機構９の変形を解除することで、当接部５８、６１が係止位置に配置され、照明取付部材６に反射機構９がガタツキを抑えて取付けられる。
また、照明取付部材６から反射機構９を取外すときには、反射機構９の一対の当接部５８、６１を互いに近づけるように変形させ、当接部５８、６１を照明取付部材６から取外す。
照明取付部材６に反射機構９を取付けるときには、予め当接部５８、６１を互いに近づけるように変形させた状態で当接部５８、６１を一対の側板部５間において主板部４よりも上側に配置する。そして、反射機構９の変形を解除させて当接部５８、６１を係止位置に配置させることで、照明取付部材６に反射機構９が取付けられる。
【００４２】
以上説明したように、本実施形態の照明装置１によれば、反射機構９は、一対の係止部３４により一対の当接部５８、６１を上方に向かって係止されることで、上方に支持されている。さらに、一対の側板部５の互いに対向する内面５ｂにそれぞれ当接する一対の当接部５８、６１を、それぞれが当接している側板部５の内面５ｂに向かって付勢部７５が付勢することで、側板部５と当接部５８、６１との間に生じるガタツキを抑えて、照明取付部材６に反射機構９を取付けることができる。このとき、リフレクタ８の反射面７は照明取付部材６の上方であって主板部４に対向するように配置されるため、主板部４の上面に取付けられた照明灯３から発せられた照明光は、主板部４および一対の側板部５で反射されて上方に導かれ、さらに反射面７により下方に反射されてテーブル２００の天板２００ａを間接的に照明することができる。
一方で、付勢部７５による付勢力に抗して一対の当接部５８、６１を互いに近づけ当接部５８、６１を側板部５から離間させることで、照明取付部材６から反射機構９を取外すことができる。
このように、一対の当接部５８、６１間の距離を調節することで、工具などを用いることなく容易に照明取付部材６に反射機構９を着脱することができる。
【００４３】
照明取付部材６の一対の側板部５、一対の係止部３４、および、反射機構９の一対の当接部５８、６１は、横幅方向Ｘにそれぞれ延設されている。このため、側板部５および係止部３４に対して当接部５８、６１を横幅方向Ｘに移動することができ、照明取付部材６に対して反射機構９をスライドさせて横幅方向Ｘの位置を調節することができる。
また、反射機構９はストッパー６２を有するため、当接部５８、６１が照明取付部材６の係止位置にあるときにリフレクタ支持体５２、５３の溝部５６ｂ、５９ｂにストッパー６２を係合させることで、照明取付部材６から反射機構９が外れるのを防止することができる。
【００４４】
係止位置にあるときの当接部５８と当接部６１と間の距離Ｌ１は、外力が作用しない自然状態での当接部５８と当接部６１と間の距離Ｌ２よりも短く設定されている。このため、一対の側板部５に当接部５８、６１が当接したときに、付勢部７５により、当接部５８と当接部６１と間の距離を長くしようとする力、すなわち、当接部５８、６１をそれぞれが当接する側板部５の内面５ｂに向かって付勢する力が作用する。したがって、当接部５８、６１が側板部５の内面５ｂに押し付けられ、照明取付部材６に対して反射機構９がガタツクのを抑えることができる。
【００４５】
なお、本実施形態では、照明取付部材６の主板部４の下面に照明灯３を取付けて下方に照明光を導き、この照明灯３によりテーブル２００の天板２００ａ上を直接照明してもよい。
また、反射機構９の当接部５８、６１の外径を照明取付部材６の係止部３４の内径とほぼ等しく設定し、当接部５８、６１を開口３４ａを通して係止部３４に係合させることで、照明取付部材６に当接部５８、６１が取付けられるように構成してもよい。
本実施形態では、連結部材５４により一対の側板部５に当接部５８、６１が確実に当接しているときには、ストッパー６２は備えられなくてもよい。
反射機構９の一対の当接部５８、６１は横幅方向Ｘにそれぞれ延設されているとしたが、当接部５８、６１は横幅方向Ｘに延設されない形状、たとえば、球形などであってもよい。ただし、当接部５８、６１を横幅方向Ｘに延設された形状とすることで、照明取付部材６に反射機構９をより安定させて取付けることができる。
【００４６】
（第２実施形態）
次に、本発明の第２実施形態について図１０から図１２を参照しながら説明するが、前記実施形態と同一の部位には同一の符号を付してその説明は省略し、異なる点についてのみ説明する。
本実施形態の照明装置は、前記第１実施形態の照明装置１の反射機構９に代えて、図１０に示す反射機構８２を備えている。
反射機構８２は、ほぼ上下方向Ｚに延びる２組のリフレクタ支持体８３、８４と（一方の組のリフレクタ支持体８３、８４は不図示）、リフレクタ支持体８３、８４を互いの上下方向Ｚの中間部に設定された回動軸Ｃ１回りにそれぞれ回動可能となるように接続する回動接続部８５と、リフレクタ支持体８３同士の上端およびリフレクタ支持体８４同士の上端をそれぞれ接続する一対の軸部材８６と、一対の軸部材８６に接続されたリフレクタ（付勢部）８７とを有している。
【００４７】
図１０および図１１に示すように、リフレクタ支持体８３は、下方に向かうにしたがってリフレクタ支持体８４方向に延びる上部支持杆８９と、上部支持杆８９の下端から下方に延びる支持杆本体９０と、支持杆本体９０の下端から下方に向かうにしたがってリフレクタ支持体８４から離間する方向であって上部支持杆８９の上端と同じ方向に延びる前記下部支持杆５７と、下部支持杆５７の下端から横幅方向Ｘの一方に延びる前記当接部５８とを備えている。リフレクタ支持体８３の上部支持杆８９、支持杆本体９０、下部支持杆５７および当接部５８は、中実または中空の棒状部材を折り曲げることにより一体形成されている。
リフレクタ支持体８４は、リフレクタ支持体８３とリフレクタ支持体８４との間に規定される対称面に対してリフレクタ支持体８３と対称となる形状に形成されている。
すなわち、リフレクタ支持体８４は、下方に向かうにしたがってリフレクタ支持体８３方向に延びる上部支持杆９１と、上部支持杆９１の下端から下方に延びる支持杆本体９２と、支持杆本体９２の下端から下方に向かうにしたがってリフレクタ支持体８３から離間する方向であって上部支持杆９１の上端と同じ方向に延びる前記下部支持杆６０と、下部支持杆６０の下端から当接部５８と同じ方向に延びる前記当接部６１とを備えている。
【００４８】
回動接続部８５は、円板状に形成され、互いに厚さ方向に一定距離離間した一対の挟持部材９５と、一対の挟持部材９５の間に配置された円板状の受け部材９６とを有している。一対の挟持部材９５および受け部材９６は、同軸上に配置され、一対の挟持部材９５および受け部材９６の中心には、厚さ方向に挿通孔９５ａ、９６ａがそれぞれ形成されている。一対の挟持部材９５の縁部は支持杆本体９０のリフレクタ支持体８４側の側面に接続され、受け部材９６の縁部は支持杆本体９２のリフレクタ支持体８３側の側面に接続されている。
以上のように構成された、リフレクタ支持体８３、８４は、回動軸Ｃ１を含む鉛直面Ｓ１に対して、リフレクタ支持体８３の下端および上端は一の側Ｄ１に配置されるとともに、リフレクタ支持体８４の下端および上端は他の側Ｄ２に配置されるように構成されている。
そして、第５ねじ９７を一方の挟持部材９５側から挿通孔９５ａ、９６ａに差し込み、他方の挟持部材９５側に配置された図示しない第３ナットに螺着させることで、リフレクタ支持体８３およびリフレクタ支持体８４は、第５ねじ９７の軸線となる前述の回動軸Ｃ１回りに回動可能となっている。
【００４９】
図１０および図１２に示すように、上部支持杆８９および上部支持杆９１の上端には、横幅方向Ｘの両方向に延びる延設部材１００が接続されている。延設部材１００の両端部は、横幅方向Ｘに突出する突部となっている。
軸部材８６は管状に形成されていて、その内径は延設部材１００の外径よりわずかに大きくなるように設定されている。なお、軸部材８６の管路が、突部に嵌合する凹部となっている。
一方の軸部材８６は、横幅方向Ｘに離間して配置された一対のリフレクタ支持体８３の延設部材１００に端部にそれぞれ嵌合することで接続され、他方の軸部材８６は、横幅方向Ｘに離間して配置された一対のリフレクタ支持体８４の延設部材１００に端部にそれぞれ嵌合することで接続されている。これら一対の軸部材８６は、奥行方向Ｙに互いに離間して配置されている。
【００５０】
リフレクタ８７は、本実施形態では、たとえば布などの自然状態より伸長されたときに弾性を有する材料で形成されている。図１０から図１３に示すように、リフレクタ８７は、シート状に形成された本体部１０１と、本体部１０１の奥行方向Ｙの両側縁に設けられ横幅方向Ｘに延びる管状に形成された一対の外嵌部１０２とを有している。リフレクタ８７は、矩形状の布の両端部を管状に丸め、丸めた形状で接着して固定することなどにより一体形成されている。
本実施形態では、本体部１０１の下面が反射面１０１ａとされている（図１１参照）。
外嵌部１０２の内径は、軸部材８６の外径よりわずかに大きくなるように設定されていて、リフレクタ８７は、外嵌部１０２内に軸部材８６を挿通させることで、リフレクタ支持体８３、８４の上端にそれぞれ接続されている。
そして、一対の延設部材１００の奥行方向Ｙの距離、すなわち、リフレクタ８７の一対の外嵌部１０２間の距離は、リフレクタ８７の本体部１０１に外力が作用しない自然状態のときよりも、当接部５８、６１が照明取付部材６の係止位置にあるときのほうが長く設定されている。
【００５１】
このように構成された反射機構８２を備えた照明装置によれば、当接部５８、６１が照明取付部材６の係止位置にあるときに、リフレクタ８７はリフレクタ支持体８３、８４により引き伸ばされている。このため、リフレクタ８７は自身の弾性力により奥行方向Ｙに縮もうとし、この力によりリフレクタ支持体８３、８４が回動軸Ｃ１回りに回動し、当接部５８と当接部６１との間の距離が長くなろうとする。
したがって、本実施形態では、リフレクタ８７が付勢部として機能し、側板部５の内面５ｂに当接部５８、６１を押し付け、反射機構８２がガタツクのを抑えることができる。
【００５２】
反射機構８２は２組のリフレクタ支持体８３、８４を有し、一対の軸部材８６は、リフレクタ支持体８３同士およびリフレクタ支持体８４同士にそれぞれ接続されている。そして、リフレクタ８７の奥行方向Ｙの両側縁は、軸部材８６にそれぞれ接続されている。このため、一対の軸部材８６によりリフレクタ８７を奥行方向Ｙおよび横幅方向Ｘに安定して支持することができる。
リフレクタ支持体８３、８４は延設部材１００を有し、軸部材８６には延設部材１００に嵌合する管路が形成されているので、簡単な構成でリフレクタ支持体８３、８４に軸部材８６を接続することができる。
【００５３】
（第３実施形態）
次に、本発明の第３実施形態について図１３および図１４を参照しながら説明するが、前記実施形態と同一の部位には同一の符号を付してその説明は省略し、異なる点についてのみ説明する。
本実施形態の照明装置は、前記第２実施形態の照明装置の反射機構８２に代えて、図１３に示す反射機構１１２を備えている。
反射機構１１２は、ほぼ上下方向に延びる２組のリフレクタ支持体１１３、１１４と（一方の組のリフレクタ支持体１１３、１１４は不図示）、リフレクタ支持体１１３、１１４を互いの上下方向Ｚの中間部に設定された回動軸Ｃ２回りにそれぞれ回動可能となるように接続する回動接続部１１５と、リフレクタ支持体１１３の上端およびリフレクタ支持体１１４の上端に接続されたリフレクタ（付勢部）１１６とを有している。
【００５４】
図１３および図１４に示すように、リフレクタ支持体１１３は、下方に向かうにしたがってリフレクタ支持体１１４方向に延びる上部支持杆１１９と、上部支持杆１１９の下端から下方に延びる支持杆本体１２０と、支持杆本体１２０の下端から下方に向かうにしたがってリフレクタ支持体１１４から離間する方向であって上部支持杆１１９の上端とは反対方向に延びる下部支持杆１２１と、下部支持杆１２１の下端から横幅方向Ｘの一方に延びる前記当接部６１とを備えている。
リフレクタ支持体１１４は、リフレクタ支持体１１３とリフレクタ支持体１１４との間に規定される対称面に対してリフレクタ支持体１１３と対称となる形状に形成されている。
すなわち、リフレクタ支持体１１４は、下方に向かうにしたがってリフレクタ支持体１１３方向に延びる上部支持杆１２２と、上部支持杆１２２の下端から下方に延びる支持杆本体１２３と、支持杆本体１２３の下端から下方に向かうにしたがってリフレクタ支持体１１３から離間する方向であって上部支持杆１２２の上端とは反対方向に延びる下部支持杆１２４と、下部支持杆１２４の下端から当接部６１と同じ方向に延びる前記当接部５８とを備えている。
リフレクタ支持体１１３の上部支持杆１１９、支持杆本体１２０、下部支持杆１２１および当接部６１、リフレクタ支持体１１４の上部支持杆１２２、支持杆本体１２３、下部支持杆１２４および当接部５８は、それぞれ中実または中空の棒状部材を折り曲げることにより一体形成されている。
【００５５】
回動接続部１１５は、円板状に形成された受け部材１２５、１２６を有している。受け部材１２５は支持杆本体１２０の中間部に接続され、受け部材１２６は支持杆本体１２３の中間部に接続されている。受け部材１２５、１２６の中心には、厚さ方向に挿通孔１２５ａ、１２６ａがそれぞれ形成されている。
以上のように構成された、リフレクタ支持体１１３、１１４は、回動軸Ｃ２を含む鉛直面Ｓ２に対して、それぞれのリフレクタ支持体１１３、１１４の上端は自身の下端が配置されている側とは反対側に配置されている。
そして、第６ねじ１２７を受け部材１２６側から挿通孔１２６ａ、１２５ａに差し込み、受け部材１２５側に配置された図示しない第４ナットに螺着させることで、リフレクタ支持体１１３およびリフレクタ支持体１１４は、第６ねじ１２７の軸線となる前述の回動軸Ｃ２回りに回動可能となっている。
上部支持杆１１９および上部支持杆１２２の上端には、横幅方向Ｘの両方向に延びる延設部材１００が接続されている。
【００５６】
リフレクタ１１６は、本実施形態では、たとえば金属製の板材などの、自然状態より圧縮または湾曲されたときに弾性を有する材料で形成されている。リフレクタ１１６は、シート状に形成された本体部１３０と、本体部１３０の奥行方向Ｙの両側縁に設けられ横幅方向Ｘに延びる管状に形成された一対の外嵌部１３１とを有している。リフレクタ１１６は、矩形状の板材の両端部を管状に丸め、丸めた形状で溶接または接着して固定することなどにより一体形成されている。本実施形態では、本体部１３０の下面が反射面１３０ａとされている（図１４参照）。
外嵌部１３１の内径は、延設部材１００の外径よりわずかに大きくなるように設定されていて、リフレクタ１１６は、外嵌部１３１内に延設部材１００を挿通させることで、リフレクタ支持体１１３、１１４の上端にそれぞれ接続されている。
【００５７】
そして、一対の延設部材１００の奥行方向Ｙの距離、すなわち、リフレクタ１１６の一対の外嵌部１３１間の距離は、リフレクタ１１６に外力が作用しない自然状態のときよりも、当接部５８、６１が照明取付部材６の係止位置にあるときのほうが短く設定されている。当接部５８、６１が係止位置にあるときには、リフレクタ１１６は奥行方向Ｙの中央部が下方に突出するように湾曲している。
【００５８】
このように構成された反射機構１１２を備えた照明装置によれば、当接部５８、６１が照明取付部材６の係止位置にあるときに、リフレクタ１１６はリフレクタ支持体１１３、１１４により湾曲されている。このため、リフレクタ１１６は自身の弾性力により奥行方向Ｙに延びようとし、この力によりリフレクタ支持体１１３、１１４が回動軸Ｃ２回りに回動し、当接部５８と当接部６１との間の距離が長くなろうとする。
したがって、本実施形態では、リフレクタ１１６が付勢部として機能し、側板部５の内面５ｂに当接部５８、６１を押し付け、反射機構８２がガタツクのを抑えることができる。
【００５９】
以上、本発明の第１実施形態から第３実施形態について図面を参照して詳述したが、具体的な構成はこの実施形態に限られるものではなく、本発明の要旨を逸脱しない範囲の構成の変更なども含まれる。さらに、各実施形態で示した構成のそれぞれを適宜組み合わせて利用できることは、言うまでもない。
たとえば、反射機構が、弾性を有して奥行方向Ｙに圧縮可能な部材であって、奥行方向Ｙに圧縮されたときに奥行方向Ｙの両端が係止位置に配置される部材を、自身の下端に備えるように構成してもよい。このように構成しても、この部材の両端は、それぞれの端が当接する側板部５の内面５ｂに向かって付勢されるので、側板部５とこの部材との間に生じるガタツキを抑えて、照明取付部材６に反射機構を取付けることができる。
【符号の説明】
【００６０】
１    照明装置
３    照明灯
４    主板部
５    側板部
５ｂ  内面
６    照明取付部材
７、１０１ａ、１３０ａ  反射面
９、８２、１１２  反射機構
３４  係止部
５８、６１  当接部
６２  ストッパー（移動防止部材）
７５  付勢部
８７、１１６  リフレクタ（付勢部）
２００  テーブル（什器）
Ｘ    横幅方向（延設方向）
【図１】
0005604232.tif 000002
【図２】
0005604232.tif 000003
【図３】
0005604232.tif 000004
【図４】
0005604232.tif 000005
【図５】
0005604232.tif 000006
【図６】
0005604232.tif 000007
【図７】
0005604232.tif 000008
【図８】
0005604232.tif 000009
【図９】
0005604232.tif 000010
【図１０】
0005604232.tif 000011
【図１１】
0005604232.tif 000012
【図１２】
0005604232.tif 000013
【図１３】
0005604232.tif 000014
【図１４】
0005604232.tif 000015